(57)【要約】【課題】本文データ作成時にシフトする分のレイアウトを考慮しなくてもよいこと、通常の用紙に印刷できる領域にはすべて本文データを書き込めるようにすることを目的とする。【解決手段】タブ部分に印字するデータと本文データとを別々に受信してタブの高さ分シフトさせたタブ部分のデータと本文データとを合成してタブ紙への印刷を行い、通常の用紙に印刷できる領域にはすべて本文データを書き込むための制御手段１０３、１１１を備えた。【選択図】      図１
2005014251.tif 000002
【特許請求の範囲】
【請求項１】
タブ部分に印字するデータと本文データとを別々に受信してタブの高さ分シフトさせたタブ部分のデータと本文データとを合成してタブ紙への印刷を行い、通常の用紙に印刷できる領域にはすべて本文データを書き込むための制御手段を備えたことを特徴とする画像形成装置。
【請求項２】
領域の重ならない複数のタブに印字する画像を１枚にまとめたデータと本文データを別々に受信し、タブ挿入ページの指定を受けると、指定されたページではタブ用データからタブ幅分のみを切り出し、タブの高さ分シフトさせたデータと本文データとを合成してタブ紙への印刷を行うための制御手段を備えたことを特徴とする画像形成装置。
【請求項３】
請求項２記載の画像形成装置において、複数のタブに印字するデータは上下左右タブ用に各々１枚あることを特徴とする画像形成装置。
【請求項４】
請求項２または３記載の画像形成装置において、同じタブ位置に印字するデータが複数ある場合は、タブ位置が同じ２枚目のタブ紙に印字するデータをタブの高さ分シフトした位置に記述し、指定されたページではタブの高さの２倍シフトしたデータと本文データとを合成してタブ紙への印刷を行うことを特徴とする画像形成装置。
【請求項５】
請求項２乃至４のいずれか記載の画像形成装置において、複数のタブに印字する画像を１枚にまとめたデータから指定ページにおいてタブ幅分のデータを切り出す時、タブに印字する順序を自由に設定できることを特徴とする画像形成装置。
【請求項６】
請求項１乃至５のいずれか記載の画像形成装置において、タブの種類ごとに別々の給紙トレイに用紙をセットし、タブ挿入ページごとに給紙トレイを選択できることを特徴とする画像形成装置。
【請求項７】
請求項１乃至６のいずれか記載の画像形成装置において、スキャナ部を有し、タブ紙への印刷指示時にスキャナ部にセットされた原稿をタブ部分用データにすることを選択して上位装置から本文データのみを送信すると、スキャナ部から読み込んだタブ部分用データを用いて上記の処理を実施することを特徴とする画像形成装置。
【請求項８】
請求項１乃至６のいずれか記載の画像形成装置において、スキャナ部と、スキャナ部で読み込んだ原稿または上位装置から受信したデータを登録する記憶装置を有し、登録済みのタブ部分用データを選択して上位装置から本文データのみを送信すると、登録されているタブ部分用データを用いて上記の処理を実施することを特徴とする画像形成装置。
【請求項９】
請求項１乃至６のいずれか記載の画像形成装置において、スキャナ部を有し、タブ紙への印刷指示時にスキャナ部にセットされた原稿を本文データすることを選択して上位装置からタブ部分用データのみを送信すると、スキャナ部から読み込んだ本文データを用いて上記の処理を実施することを特徴とする画像形成装置。
【請求項１０】
請求項１乃至６のいずれか記載の画像形成装置において、スキャナ部と、スキャナ部で読み込んだ原稿または上位装置から受信したデータを登録する記憶装置を有し、登録済みの本文データを選択して上位装置からタブ部分用データのみを送信すると、登録されている本文データを用いて上記の処理を実施することを特徴とする画像形成装置。
【発明の詳細な説明】
【０００１】
【発明の属する技術分野】
本発明は、複写機、プリンタ等の画像形成装置に関し、特にタブ紙への印刷制御技術に関するものである。
【０００２】
【従来の技術】
ネットワーク上に接続されたコンピュータなどの上位装置から受信したデータを基に印刷を行う画像形成装置でタブ紙に印刷を行う場合、タブ印刷であることを指定すると印刷データをタブ山の方向にタブの高さ分シフトして印刷する手法が一般的である。
この手法ではタブでない部分の印刷データまでシフトしてしまうため、その分を考慮してユーザーが文書作成時にレイアウトを決めるのは難しい。また、タブ山と反対側にはシフトする分データを書き込める領域があるはずだが、その部分の印刷データを記述する手段がない。
このため、例えば、特許文献１には、上位装置から送られてきた印刷データからタブ部に相当する領域を識別し、識別されたタブ部に相当するタブ領域のみシフトし他の領域はシフトしないようにデータを処理する技術が記載されている。
また、例えば、特許文献２には、複数のタブの画像を１枚に記載した原稿を読み込ませると共にタブ位置などの情報を指示することにより、タブ幅領域画像平行移動印刷を行う技術が記載されている。
【特許文献１】特開２００２−３１６４５４公報
【特許文献２】特開２００１−３５３９２２公報
【０００３】
【発明が解決しようとする課題】
しかし、特開２００２−３１６４５４公報記載の技術では、文書作成時のレイアウトの問題は解決しているが、タブ部に印字するデータは本文を書き込める領域に記述することになるため、タブ部に相当する領域には本文データを記述できないという問題が残る。
本発明は、上記のような問題を解決するためになされたものであり、請求項１では、本文データ作成時にシフトする分のレイアウトを考慮しなくてもよいこと、通常の用紙に印刷できる領域にはすべて本文データを書き込めるようにすることを目的とする。
請求項２では、ユーザがタブ紙ごとに１枚ずつ別々の原稿を用意する手間を省くことを目的とする。
請求項３では、上下左右のタブ紙が混在する場合でも請求項２と同様の効果を得ることを目的とする。
請求項４では、同じタブ位置に印字するデータが複数ある場合でも、１枚のタブ部分用データにまとめられることを目的とする。
請求項５では、タブに印字する画像を１枚にまとめても、１枚ずつタブに印字するデータを送信するのと同様の自由度を保つことを目的とする。
請求項６では、印刷したいデータに従い１つの給紙トレイに順序よくタブ紙をセットする煩わしさをなくすことを目的とする。
請求項７では、タブ部分用データとしてスキャナ部で読み取った原稿を用いることを目的とする。
請求項８では、タブ部分用データを使い回ししたい場合に、毎回スキャナ部から読み込む作業をなくすことを目的とする。
請求項９では、本文データとしてスキャナ部で読み取った原稿を用いることができることを目的とする。
請求項１０では、本文データを使い回ししたい場合に、毎回スキャナ部から読み込む作業をなくすことを目的とする。
【０００４】
【課題を解決するための手段】
上記目的を達成するために、請求項１記載の発明は、タブ部分に印字するデータと本文データとを別々に受信してタブの高さ分シフトさせたタブ部分のデータと本文データとを合成してタブ紙への印刷を行い、通常の用紙に印刷できる領域にはすべて本文データを書き込むための制御手段を備えた画像形成装置を最も主要な特徴とする。
請求項２記載の発明は、領域の重ならない複数のタブに印字する画像を１枚にまとめたデータと本文データを別々に受信し、タブ挿入ページの指定を受けると、指定されたページではタブ用データからタブ幅分のみを切り出し、タブの高さ分シフトさせたデータと本文データとを合成してタブ紙への印刷を行うための制御手段を備えた画像形成装置を最も主要な特徴とする。
請求項３記載の発明は、請求項２記載において、複数のタブに印字するデータは上下左右タブ用に各々１枚ある画像形成装置を主要な特徴とする。
請求項４記載の発明は、請求項２または３記載において、同じタブ位置に印字するデータが複数ある場合は、タブ位置が同じ２枚目のタブ紙に印字するデータをタブの高さ分シフトした位置に記述し、指定されたページではタブの高さの２倍シフトしたデータと本文データとを合成してタブ紙への印刷を行う画像形成装置を主要な特徴とする。
請求項５記載の発明は、請求項２〜４のいずれか記載において、複数のタブに印字する画像を１枚にまとめたデータから指定ページにおいてタブ幅分のデータを切り出す時、タブに印字する順序を自由に設定できる画像形成装置を主要な特徴とする。
請求項６記載の発明は、請求項１〜５のいずれか記載において、タブの種類ごとに別々の給紙トレイに用紙をセットし、タブ挿入ページごとに給紙トレイを選択できる画像形成装置を主要な特徴とする。
【０００５】
請求項７記載の発明は、請求項１〜６のいずれか記載において、スキャナ部を有し、タブ紙への印刷指示時にスキャナ部にセットされた原稿をタブ部分用データにすることを選択して上位装置から本文データのみを送信すると、スキャナ部から読み込んだタブ部分用データを用いて上記の処理を実施する画像形成装置を主要な特徴とする。
請求項８記載の発明は、請求項１〜６のいずれか記載において、スキャナ部と、スキャナ部で読み込んだ原稿または上位装置から受信したデータを登録する記憶装置を有し、登録済みのタブ部分用データを選択して上位装置から本文データのみを送信すると、登録されているタブ部分用データを用いて上記の処理を実施する画像形成装置を主要な特徴とする。
請求項９記載の発明は、請求項１〜６のいずれか記載において、スキャナ部を有し、タブ紙への印刷指示時にスキャナ部にセットされた原稿を本文データすることを選択して上位装置からタブ部分用データのみを送信すると、スキャナ部から読み込んだ本文データを用いて上記の処理を実施する画像形成装置を主要な特徴とする。
請求項１０記載の発明は、請求項１〜６のいずれか記載において、スキャナ部と、スキャナ部で読み込んだ原稿または上位装置から受信したデータを登録する記憶装置を有し、登録済みの本文データを選択して上位装置からタブ部分用データのみを送信すると、登録されている本文データを用いて上記の処理を実施する画像形成装置を主要な特徴とする。
【０００６】
【発明の実施の形態】
以下、図面により本発明の実施の形態を詳細に説明する。
図１は本発明の実施の形態に係る画像形成装置の機能ブロックである。プリンタ部１００は、パーソナルコンピュータなどの上位装置１０１からのデータを受信する受信バッファ１０２と、受信したデータの解析とプリンタ装置各部を制御するプリンタ制御部１０３と、展開されたデータを格納する記憶装置１０４と、印刷状況の表示や操作者の指示を受け取る操作表示部１０５で構成されている。
スキャナ部１０６部１０６は、スキャナ部１０６装置各部を制御するスキャナ部１０６制御部１０７と、画像読み取り部１０８と、読み取った画像を格納する記憶装置１０９と、スキャン状況の表示や操作者の指示を受け取る操作表示部１１０から構成されている。
また本画像形成装置は、プリンタ部１００とスキャナ部１０６部１０６の他に、用紙の搬送や書き込み・定着などの制御を行うエンジン制御部１１１と、印刷可能に処理されたデータを用紙に印刷する印刷部１１２を備え、これによりにより用紙への画像形成が行われる。
図２は本発明の第１の制御例を示すフローチャートである。上位装置１０１から印刷データを受信する（Ｓ２０１）と、受信バッファから１ページ分のデータを取り出し展開する（Ｓ２０２）。データがタブ印刷データである場合（Ｓ２０３：ＹＥＳ）、タブの方向、タブの高さに関する情報を取り出し（Ｓ２０４）印刷データをタブの方向にタブの高さ分シフトさせる（Ｓ２０５）。
次に、本文データである次ページのデータを受信バッファより取り出して展開を行い（Ｓ２０６）、Ｓ２０５で作成されたデータと合成し（Ｓ２０７）、ここで得られる画像を１ページに印刷する（Ｓ２０８）。
最初に展開したデータがタブ印刷データでない場合（Ｓ２０４：ＮＯ）は、処理はＳ２０８にとび通常に印刷を行う。Ｓ２０２からＳ２０８の処理を全ページ分の印刷が終了する（Ｓ２０９：ＹＥＳ）まで繰り返す。
【０００７】
図３はデータ合成処理の様子を示す説明図である。タブ印字データ３０１と本文データ３０２が上位装置より受信したデータであり、タブ情報３０３は上位装置から指定しても、予め装置側に設定しておいてもよい。タブ印字データ３０１を、タブ情報３０３で取得した値を基にシフトさせ（３０４）、本文データ３０２と合成することによって実際にタブ紙に印字するデータ３０５を得る。
図４は本発明の第２の制御例を示すフローチャートである。上位装置１０１から印刷データを受信する（Ｓ４０１）と、受信バッファから１ページ分のデータを取り出し展開する（Ｓ４０２）。データがタブ部分データである場合（Ｓ４０３：ＹＥＳ）、タブを挿入するページとタブの情報を取り出し（Ｓ４０４）、データをタブ幅に分割すると共に、タブの方向にタブの高さ分シフトさせる（Ｓ４０５）。
次に、本文データである次ページのデータを受信バッファより取り出して展開を行い（Ｓ４０６）、Ｓ４０４で指定されていたタブ紙挿入ページである場合（Ｓ４０７：ＹＥＳ）、Ｓ４０５のデータから指定ページのものを取り出し（Ｓ４０８）、本文データと合成して（Ｓ４０９）印刷を行う（Ｓ４１０）。
指定されたタブ紙挿入ページでない場合（Ｓ４０７：ＮＯ）は、そのまま本文データの印刷を行う（Ｓ４１０）。Ｓ４０６からＳ４１０の処理を全ページ分の印刷が終了する（Ｓ４１１：ＹＥＳ）まで繰り返す。また、最初に展開したデータがタブ部分データでない場合（Ｓ４０３：ＮＯ）は、処理はＳ４１０にとび通常に印刷を行う。
なお、上記フローではタブ部分のデータは１ページ目にあることに限定しているが、タブ紙挿入ページの前であれば、何ページ目に受信してもよい。
【０００８】
図５は本発明の第３の制御例を示すフローチャートである。図４に示す第２の制御例のフローと基本的には同じであるが、上下左右のタブ紙データが混在している場合は、混在している種類分のタブ部分データを受信する。
Ｓ５０１〜Ｓ５０５まではＳ４０１〜Ｓ４０５までと同じである。Ｓ５０５の後、次のデータもタブ部分データであり得るため、処理はＳ５０２に戻る。Ｓ５０６〜Ｓ５１０の処理は、Ｓ４０７〜Ｓ４１１までと同じであるが、Ｓ５０７で取得するタブ部分データはタブ種類ごとにある複数のデータの中から検索することになる。
なお、タブ部分データは、そのタブ種類のタブ紙挿入ページより前に受信している必要がある。
ここで、タブ山の数よりも多いタブ部分データ、すなわち同じ位置に印字するタブ部分データが複数ある場合は、図５のＳ５０５において、タブ部分データが１枚目のタブ紙に印字するデータと並べてタブ位置とは反対方向にタブの高さ分シフトされた場所にある。従って、その部分のタブデータはタブの高さの２倍シフトさせる。
またタブ部分用データにおいて、１ページ単位で持っているタブの位置・高さ・幅情報とは別に、タブ挿入ページの情報を各タブ山ごとに持たせることにより、第１の制御例と同様に、挿入するタブ紙が左から右などと順序良く並んでいない場合にも対応できる。
またタブ山ごとに給紙トレイの情報も設定できるようにすることにより、タブ山ごと別々のトレイから給紙することができる。
【０００９】
図６は本発明の第４の制御例を示すフローチャートである。上位装置１０１から印刷データを受信する（Ｓ６０１）と、タブ紙への印刷が含まれているか判断する（Ｓ６０２）。タブ紙への印刷がある場合（Ｓ６０２：ＹＥＳ）、タブ部分のデータをスキャナ部１０６から読み込むか判断する（Ｓ６０３）。スキャナ部１０６からではない場合は（Ｓ６０３：ＮＯ）、第３の制御例と同じになり、図５のＳ５０２の処理に入る。
スキャナ部１０６から読み込む場合（Ｓ６０３：ＹＥＳ）、スキャナ部１０６に原稿がセットされているか判断し（Ｓ６０４）、セットされていない場合（Ｓ６０４：ＮＯ）は操作表示部１１０にセットを促すメッセージを表示し（Ｓ６０５）、原稿がセットされた時点（Ｓ６０６：ＹＥＳ）でメッセージを消去する（Ｓ６０７）。
次にスキャナ部１０６から原稿を読み取り（Ｓ６０８）、指定されているタブ情報（Ｓ６０９）から読み取った画像を分割し、画像のシフトを行う（Ｓ６１０）。その後、印刷データの展開を行い（Ｓ６１１）、図４のＳ４０７の処理に入る。
ここで、図４のＳ４０５、図５のＳ５０５、図６のＳ６１０で得られたタブ部分データを記憶装置１０４に保存しておき、次の印刷時に記憶装置１０４に保存されたタブ部分のデータを指定すると、受信データやスキャナ部１０６からタブデータを読み込む処理がなくなり、図４のＳ４０８、図５のＳ５０７において、記憶装置１０４から該当ページのタブ部データを取得することになる。
【００１０】
図７は本発明の第５の制御例を示すフローチャートである。図４のＳ４０６の後、本文をスキャナ部１０６から読み取るか判断し（Ｓ７０１）、スキャナ部１０６からではない場合は（Ｓ７０１：ＮＯ）、第２の制御例と同じになり、図４のＳ４０７の処理に入る。
スキャナ部１０６から読み込む場合（Ｓ７０１：ＹＥＳ）、スキャナ部１０６に原稿がセットされているか判断し（Ｓ７０２）、セットされていない場合（Ｓ７０２：ＮＯ）は操作表示部１１０にセットを促すメッセージを表示し（Ｓ７０３）、原稿がセットされた時点（Ｓ７０４：ＹＥＳ）でメッセージを消去する（Ｓ７０５）。次にスキャナ部１０６から本文原稿を読み取り（Ｓ７０６）、図４のＳ４０７の処理に入る。
また、図４のＳ４０９、図５のＳ５０８で合成する本文データは上位装置１０１から受信するのではなく、記憶装置１０４から保存されている印刷データを取得することもできる。
【００１１】
【発明の効果】
以上説明したように、請求項１によれば、タブ部分に印字するデータと本文データとを別々に作成することができるので、シフトされることを考慮して本文データを作成する必要がない。また、本来印刷が可能な領域に本文データを書き込めないということがなくなる。
請求項２によれば、複数のタブに印字する画像を１枚にまとめてデータを送信することができるので、ユーザの手間を軽減し１ページずつデータを展開する処理をなくすことができる。また、タブに印字するデータは同じフォーマットにする場合が多いと考えられるが、１枚のデータに書き込めるようにしているので、ユーザがタブデータ作成時にフォーマットを揃えるのが簡単になる。
請求項３によれば、上下左右のタブ紙が混在する場合でも各々のタブ紙に対してタブに印字する画像を１枚にまとめてデータを送信することができるので、請求項２と同様の効果を得ることができる。
請求項４によれば、同じタブ位置に印字するデータが複数ある場合でもタブに印字する画像を１枚にまとめてデータを送信することができるので、請求項２と同様の効果を得ることができる。
請求項５によれば、タブに印字する画像を１枚にまとめても、上から下、左から右などという制約を受けることなくタブに印字する順序を自由に設定できるようにしているので、１枚ずつタブに印字するデータを送信するのと同様の自由度を保つことができる。
【００１２】
請求項６によれば、タブ挿入ページごとに給紙トレイを選択できるようにしているので、１つの給紙トレイに印刷したいデータに従い順序よくタブ紙をセットする煩わしさをなくすことができる。
請求項７によれば、タブ部分用データとしてスキャナ部から読み込んだ原稿を用いることができるので、既に印字されているタブ紙のものをそのまま利用したり、紙に印字されている何かのフォーマットを用いたりできるなど、ユーザの編集の自由度が上がる。
請求項８によれば、スキャナ部で読取った原稿を登録し再利用することができるので、タブ用データとして使い回しをしたい場合に、毎回スキャナ部から読み込む手間を省くことができる。
請求項９によれば、本文データとしてスキャナ部から読み込んだ原稿を用いることができるので、紙の媒体しかない本文原稿でも上位装置で編集したタブ部分用データと合成してタブ紙への印刷ができる。
請求項１０によれば、スキャナ部で読取った原稿を登録し再利用することができるので、複数のタブ紙に同じ原稿を使いたい場合に、毎回スキャナ部から読み込む手間を省くことができる。
【図面の簡単な説明】
【図１】本発明の実施の形態に係る画像形成装置の機能ブロックである。
【図２】本発明の第１の制御例を示すフローチャートである。
【図３】データ合成処理の様子を示す説明図である。
【図４】本発明の第２の制御例を示すフローチャートである。
【図５】本発明の第３の制御例を示すフローチャートである。
【図６】本発明の第４の制御例を示すフローチャートである。
【図７】本発明の第５の制御例を示すフローチャートである。
【符号の説明】
１０３  プリンタ制御部（制御手段構成要素）
１０７  スキャナ制御部（制御手段構成要素）
１１１  エンジン制御部（制御手段構成要素）
【図１】
2005014251.tif 000003
【図２】
2005014251.tif 000004
【図３】
2005014251.tif 000005
【図４】
2005014251.tif 000006
【図５】
2005014251.tif 000007
【図６】
2005014251.tif 000008
【図７】
2005014251.tif 000009